(57)【特許請求の範囲】
【請求項１】
引き金と、ガス膨張室（３，５３，１０３）が連続するガス発生装置と、ピストン（１３，７６，１１３）と、射出チューブ（４，５４，１０４）とを具備する針なし注射器（１，５０，１００）であって、粒子が前記チューブ（４，５４，１０４）の外側に収容され、前記ガス発生装置によって発生されたガスが粒子を前記ピストン（１３，７６，１１３）の移動により前記チューブ（４，５４，１０４）の中に進入させ次に粒子を前記チューブ（４，５４，１０４）の中で加速する、針なし注射器において、ピストン（１３，７６，１１３）が保護シール（１４，７９，１１４）を有し、該保護シール（１４，７９，１１４）は、当該保護シール（１４，７９，１１４）がチューブ（４，５４，１０４）の中に解放された粒子の上流側に位置し、且つ当該保護シール（１４，７９，１１４）が閾値圧力以上で屈撓することにより前記粒子を搬送する衝撃波を発生させるように構成されていることを特徴とする針なし注射器。
【請求項２】
ガス発生装置が発火薬（５，５５，１０５）と起爆装置とからなる発火式発生装置であることを特徴とする請求項１に記載の針なし注射器。
【請求項３】
粒子がチューブ（４，５４）の導管の外側の少なくとも１つの固定された座部（１８，７５ａ，７５ｂ）に配置され、各座部（１８，７５ａ，７５ｂ）が前記チューブ（４，５４）の中に配置されたピストン（１３，７６）によって密閉され、前記ピストン（１３，７６）が各座部（１８，７５ａ，７５ｂ）を開き粒子をチューブ（４，５４）の中に解放するためガスの作用のもとに移動可能となっていることを特徴とする請求項１に記載の針なし注射器。
【請求項４】
推進装置がピストン（１３，７６）によって解放された粒子を座部（１８，７５ａ，７５ｂ）からチューブ（４，５４）に押し込むようにすることを特徴とする請求項３に記載の針なし注射器。
【請求項５】
推進装置が、ガス発生装置の近くに配置された室（３，５３）の部分を粒子のための座部（１８，７５ａ，７５ｂ）に連結する少なくとも１つの導管（１７ａ，１７ｂ，６７ａ，６７ｂ）を介してガスを運ぶことにより構成されることを特徴とする請求項４に記載の針なし注射器。
【請求項６】
粒子がピストン（１３，７６）に接する各導管（１７ａ，１７ｂ，６７ａ，６７ｂ）の端部分に収容されていることを特徴とする請求項５に記載の針なし注射器。
【請求項７】
ピストン（１３，７６）が、側壁が少なくとも１つの開口（１５ａ，１５ｂ，７８）を有する中空円筒形の本体によって形成されていることを特徴とする請求項３に記載の針なし注射器。
【請求項８】
チューブ（４，５４）が、ピストン（１３，７６）と粒子が射出されるチューブ（４，５４）の端部との間に配置されたピストン（１３，７６）を抑止し位置決めする装置を有し、ピストン（１３，７６）の側壁上の各開口（１５ａ，１５ｂ，７８）が粒子のための各座部（１８，７５ａ，７５ｂ）と対応していることを特徴とする請求項７に記載の針なし注射器。
【請求項９】
保護シール（１４，７９）が開口（１５ａ，１５ｂ，７８）の上流側に位置するようにピストン（１３，７６）がチューブの中に位置決めされ、前記保護シール（１４，７９）はピストン（１３，７６）が限界停止装置により阻止された時ガスが達した閾値圧力で屈撓するよう構成されていることを特徴とする請求項８に記載の針なし注射器。
【請求項１０】
チューブ（１０４）が、中実部分（１２０）と粒子を収容する中空部分（１２１）とを有するピストン（１１３）が収容される横断通路（１１９）を有し、横断通路（１１９）に収容され最初にチューブ（１０４）をその中実部分（１２０）により密閉している前記ピストン（１１３）が、推進装置により、中空部分（１２１）がチューブ（１０４）に連続して位置するまで横断通路（１１９）に沿って移動することができることを特徴とする請求項１に記載の針なし注射器。
【請求項１１】
推進装置が、ガス発生装置の近くに位置する室（１０３）の部分を横断通路（１１９）に連結する導管（１１７）を介してガスを運ぶことにより形成されることを特徴とする請求項１０に記載の針なし注射器。
【請求項１２】
横断通路（１１９）が、ピストン（１１３）をその中空部分（１２１）がチューブ（１０４）に連続して位置する位置に保持するロック手段（１２３）を有していることを特徴とする請求項１０に記載の針なし注射器。
【請求項１３】
粒子を収容するピストン（１１３）の中空部分（１２１）が最初横断通路（１１９）の内壁により閉鎖されることを特徴とする請求項１０に記載の針なし注射器。
【請求項１４】
保護シールがピストン（１１３）の中空部分（１２１）の領域に配置されそれにより移動時ピストン（１１３）がその中空部分（１２１）を開放し粒子をチューブ（１０４）の中に移動させるようにし、保護シール（１１４）が粒子を放出するため閾値圧力以上で屈撓するようになっていることを特徴とする請求項１０又は１３に記載の針なし注射器。
【請求項１５】
推進装置がばねにより形成されていることを特徴とする請求項１０に記載の針なし注射器。
【発明の詳細な説明】
【０００１】
本発明の技術分野は人間の治療又は動物の医療のため粉末形式の種々の有効成分を皮膚内、皮下、又は筋肉内に注射するのに用いられる針のない注射器に関するものである。
【０００２】
より詳しくは、本発明は有効成分の粒子を射出するための圧力波を発生させるようにしたガス発生装置を用いる針なし注射器に関する。ガスの経路上に置かれた破開可能な保護シールが粒子を十分に高い速度で射出することのできる圧力の強さの閾値を得ることを可能にする。この理由はガスの突然の解放が注射器に衝撃波を発生しこの衝撃波が粒子を運びかつ加速し粒子を押し出すからである。本発明の特徴は最初に注射器の主射出回路から絶縁された粒子が衝撃波によって患者の皮膚上に吹き出される直前にガスの経路の中へと最初に運ばれることにある。
【０００３】
有効成分の固体粒子を搬送するための衝撃を発生することにより作動する針なし注射器はすでに存在しいくつかの特許の対象となっている。特に有効成分の固体粒子を搬送するため貯蔵された圧縮ガスを解放することにより作動する針なし注射器を記載している特許ＷＯ９４／２４２６３が参照される。前記特許では、主なる特徴の１つは粒子が２つの破開可能な膜の間のガスの経路上に恒久的に保護されていることである。どの個所にも粒子を粒子の射出用主回路の外側に貯蔵することは示唆されていない。有効成分を収容するようにされまた一方が動くことのできる相互に連結された２つの要素からなるカプセルにより作動する針なし注射器について記載している特許ＷＯ９９／０１１６９が参照されなければならない。圧縮ガスの到着の効果により、カプセルの可動要素は移動され、それにより前記カプセルを通る通路をつくり出すようにする。
有効成分は次に圧縮ガスによりこの通路の中を搬送され続いて患者の皮膚に向って吹き出される。前記特許において、有効成分は依然としてガスの通路の中に保持され、有効成分を排出する通路は粒子を保持する装置の構成要素の１つが注射器の軸線に沿って移動することによってつくり出される。
【０００４】
例えば不活性の又は生物学的に活性の粒子を有する細胞培養に衝撃を加えることができその作動原理が側方から粒子が供給されるチューブの中に圧縮ガスを解放することに基づいている、米国特許第５，４７８，７４４号に記載されているような装置も存在する。しかしこれらは実験装置でありまた有効であるが、重くまた扱いにくくその特徴は針なし注射器のような小さな寸法の軽量の目的物には直接転用することができない。
【０００５】
本発明の針なし注射器は有効成分の固体粒子を圧縮ガスにより生じた衝撃の作用で射出することができ、次の２段階で、すなわち最初射出チューブの外の座部に位置する粒子が前記チューブの中に解放され、次にこの衝撃波がチューブを通過し、これによりすでに動いている粒子を搬送する。したがって、本発明の針なし注射器は小さく有効な粒子を搬送する装置を有しまた前記粒子をガスの経路上に恒久的に保持することがないようにする。このようにして、有効成分の粒子は隔離されまた完全に接近できなくなり、そのため注射器の信頼性を高めることができる。さらにまた、粒子は衝撃波の通過する前に射出チューブの中に自由に吹き込まれるので、例えば有効成分の粒子を保持する膜から発生する望ましくない破片を射出する危険がなくなる。
【０００６】
本発明の主題は、引き金、ガス膨張室によって連続されたガス発生器、粒子を保持する装置、及び射出チューブを具備する針なし注射器において、粒子が射出チューブの導管の外側に収容され、ガスが粒子を前記チューブの中にピストンの移動により進入させ、次に粒子をチューブの中で加速し粒子が射出されるようにすることを特徴とする針なし注射器である。好ましくは本発明の針なし注射器は特に有効成分を粉末形式で又は乾燥した粉末の形成で射出するようになっている。本発明の針なし注射器の主な特徴は有効成分の粒子を、射出チューブの中にガスによって発生した衝撃が粒子を運び去る直前に、射出チューブの中に進入させることである。このような注射器は粒子が射出チューブの中に解放される瞬間と衝撃波が粒子と相互に作用する瞬間との間の時間的な間隔が短い時に、すなわち１ミリ秒又は２，３ミリ秒のオーダーの時に、十分な効力を発揮する。その理由は、粒子が吹き出される瞬間に、粒子は依然として注射器の中で、粒子が重力の単純な作用で再構成されることなく分散状態、多少均一な“雲”の形式となっていなければならないからである。この条件は皮膚上に偶然に衝撃の特定領域を生じないで均一な射出を保証するのに必要である。このガス発生装置は好ましくは発火薬と起爆装置とを具備する火薬式発生装置である。本発明の好ましい実施態様によれば、起爆装置は発火産業で現在用いられている撃発装置と雷管とからなっている。しかし、他の手段、特に圧電気の結晶体もしくは凹凸面又はバッテリーを含む手段によって発火薬を起爆することもできる。本発明の針なし注射器はまた圧縮ガスの貯蔵によって形成されたガス発生装置により作動することができる。引き金は有利には握りと作動とを容易にするため押しボタンの形式で注射器の一方の端部に配置される。
【０００７】
本発明の第１の好ましい実施態様によれば、粒子はチューブの導管の外側の少なくとも１つの固定された座部に配置され、各座部は前記チューブの中に位置するピストンによって密閉され、前記ピストンはガスの作用のもとに移動することができ各座部を開き粒子をチューブの中に解放するようにする。推進装置が有利にはピストンにより開放された粒子をその座部からチューブの中に推進させる。この理由は、目的が注射器の中に存在する有効成分の最大量を射出することであるから、全ての座部が完全に空にされそれにより粒子が全て射出される所定位置にあるようにするのを保証することが必須であるからである。本発明の好ましい実施態様によれば、推進装置はガス発生装置の近くに位置する室の領域を粒子の座部に連結する少なくとも１つの導管を介してガスを運ぶことにより実施され、また好ましくは粒子のための座部と同じの多くの導管を設ける。このように、粒子を推進させる装置はエネルギーの予め存在する供給源に基礎をおいており、余分の別の独立した装置による容積の増加を必要としない。粒子は有利にはピストンに当接する各導管の端部分に収容される。さらに正確には、粒子は一方においてピストンにより他方において導管の中に位置する薄い横断フィルムにより区画された空間の中に収容される。この薄いフィルムは例えば１０バール（１０5 Pa）より大きい圧力には耐えることのできない非常に小さい厚さの破開可能な膜により、又はこれに代え多孔質の膜により形成することができる。
【０００８】
本発明の他の実施態様によれば、粒子はピストンと予め応力のかけられたスプリングとの間でその座部の中に閉じ込められ、それによりピストンが座部を閉塞しない時に、各スプリングが弛み粒子をチューブの中に推し進める。ピストンは好ましくはその側壁が少なくとも１つの開口を有する中空円筒形の本体によって形成される。好ましくは粒子のための座部と同じの多くの開口が設けられ、前記座部はチューブの周りに均一に分配され、整列され規則的な間隔で離間されている。チューブは有利にはピストンを抑止し位置決めする装置を有し、前記ピストンと粒子が射出されて通過するチューブの端部との間に位置している。この限界停止装置は好ましくはピストンを停止させるようになっており、ガスによってその側壁上の各開口が粒子のための各座部と一致する位置で動かされる。したがって、ガスによって発生された圧力の作用のもとに、ピストンは移動されまた粒子をチューブの一部分に侵入させる位置にロックする。ピストンは好ましくは横断方向の保護シールを有しチューブの中に位置しそれによりこの保護シールが開口の上流側に位置し前記保護シールはピストンが限界停止装置により停止された時ガスの到達した閾値圧力で屈撓するよう構成される。時間的には、この好ましい実施態様の注射器の作動は２つの異なった段階、すなわち、ピストンが移動され限界停止装置に対しロックし粒子をチューブの中に解放することができるようにする第１の段階と、第１の段階の直後に起きガス発生装置と保護シールとの間の空間内のガスの圧力が前記保護シールに穴をあけるようになる閾値に到達するまで増大する第２の段階とを有している。保護シールの破裂の結果としての圧縮ガスの突然の解放は衝撃の圧力波に組合せることのできる圧力波を生み出す。射出チューブの中にこうして入った波は雲の形式で粒子を運動状態におきそしてこれらの粒子は高速で射出される。限界停止装置は有利にはチューブの内側に固定されたクラウン（冠部）により形成される。これは限界停止装置を構成する要素がピストンのためのストッパとして作用しなければならずしかも粒子が通過するのを妨げてはならないからである。この構成要素はしたがってすかし細工構造としなければならずまた例えば横断方向の格子の形式をとることができる。
【０００９】
本発明の第２の実施態様によれば、チューブは中実部分と粒子を収容する中空部分とを有するピストンが収容される横断通路を有し、横断通路に収容されチューブをその中実部分で最初密閉する前記ピストンは、その中空部分がチューブの継続部に位置するまで推進装置により横断通路に沿って移動することができる。推進装置は好ましくはガスをガス発生装置の近くに配置された室の部分を横断通路に連結する導管を介して運ぶことにより作動される。本発明の第１の好ましい実施態様について記載されたのと同じように、ピストンのための、また粒子のための推進装置はエネルギーの現存する供給源を根拠とし、空間を節減することができまた同時に特に効率的とすることができる。横断通路は有利にはピストンをその中空部分がチューブに連続して配置される位置に保持するロック手段を有している。したがって、第１の段階では、ガスの作用のもとに、ピストンは有効成分の粒子をチューブの中に解放し粒子を自由にするよう移動される。好ましくは粒子を収容するピストンの中空部分は最初横断通路の壁によって閉じられる。ピストンの中空部分は有利には保護シールを有しそれにより移動されると、ピストンはその中空部分を開きそれにより粒子をチューブの中に移動させるようにし、また保護シールは閾値圧力以上で屈撓され粒子を放出するようになっている。保護シールは有利には注射器の中のガスの伝播の方向に関して粒子の上流側に置かれ、それによりすでに運動している粒子と相互に作用する直前に破裂し衝撃波を発生するようにする。このようにして、ピストンが移動されロック手段により横断通路にロックされた時、注射器は、連続し継続して、ガス発生装置、ピストンの保護シールによって区画された燃焼ガスのための膨張室、保護シール、有効成分の自由の粒子、及び最後に前記粒子の射出のためのチューブを有している。ガスが閾値圧力に達したとき、保護シールは屈撓し、またそれにより発生した衝撃がガスの運動に関して前記保護シールの下流側に位置する自由粒子を突然加速し、粒子を患者の皮膚に向って射出する。
【００１０】
本発明の他の実施態様によれば、ピストンはまた特に中空部分が２つの動くことのできる舌片により閉じられる最初は緊密の部分組立体の形式とすることができる。この構造にとって、横断通路の中のピストンの移動は２つの舌片の一方を引き戻し最初に粒子をチューブの中に解放し、他方の舌片は保護シールとして作用する。舌片はまた引裂かれ、その主なる目的は衝撃波によりチューブの中の粒子が加速される前に制限を解き解放するよう開口を作り出すことである。本発明の他の実施態様によれば推進装置はスプリングによって形成される。このスプリングは有利には、粒子を移送し可動の限界ストッパ（停止装置）に対しロックされるピストンと横断通路の一方の端部との間で予め応力がかけられる。好ましくは、引き金の作動は一方において可動限界ストッパを上昇させそれによりピストンをスプリングが緊張をなくする作用のもとに移動させ、他方においてガス発生装置を作動させガスを射出チューブの中に運ぶ。これら２つの作用は相互に分離され解放された粒子の均一の射出を保証するための非常に短い時間で行わなければならない。
【００１１】
本発明の針なし注射器は衝撃による作用と関連する利点から、特に粒子の射出速度の点で利益をもたらし、また同時に粒子を信頼性をもって貯蔵状態に保持するのを保証する。
【００１２】
さらに、注射器のエネルギー源を構成することのできる広範囲の多様性が非常に融通性のある使用を可能にし、注射器の“モータ”のパラメータを処置される特定の場合に調節できるようにする。
【００１３】
最後に、燃焼ガスの転換によって射出チューブの中に押し込まれる時とガス発生装置が非常に小さな発火薬を具備している時に、針なし注射器は極めて効果的でしかも小さい作動機構が取付けられ、特に注目すべき作動特性をもたらす。
【００１４】
本発明のいくつかの好ましい実施態様が図１から７を参照して以下に詳細に記載される。
【００１５】
図１を参照すると、本発明の第１の好ましい実施態様の針なし注射器１が連続して、発火式ガス発生装置２と、膨張室３と、粒子を保持する装置と、前記粒子を射出するのに用いられ処置される患者の皮膚に当接するようにされるチューブ４とを具備している。
【００１６】
発火式ガス発生装置２は撃発装置と雷管（導火線）６とを含む発火薬５のための起爆装置を具備している。押しボタン７により発動される撃発装置はスプリング８と撃針１０が設けられた細長い錘９とを具備している。錘９は前記錘９とこれが配置される中空円筒体１２との間に押し込まれた少なくとも１つの固定したボール１１によって封鎖されている。実質的に円筒形状の雷管６と発火薬５が錘９の下流側で中空円筒体１２の中に収容されている。中空体１２の中に収容された発火薬５は、発火薬５の燃焼から発生するガスのための膨張室３を構成する注射器の自由空間上に平面の円形開口を有する。
【００１７】
図２を参照すると、実質的に円筒形状のこの室３は発火薬５により形成された遠い方の端部がピストン１３によって区画されており、ピストン１３は、断面で一方の端部が自由で他方の端部が前記室３の閾値圧力を超えて爆発することができる保護シール１４によって閉じられている中空円筒体からなっている。
【００１８】
さらに詳しくは、室３の長さを画定するのはピストン１３の平面の保護シール１４である。前記ピストン１３の中空円筒体は２つの直径方向に対向する開口１５ａ，１５ｂを有している。ピストン１３は注射器１の中に配置されそれによりその自由端が射出チューブ４に向って位置し保護シール１４が発火薬５の燃焼から発生するガスの伝播方向に対し前記自由の端部の上流側に置かれるようにする。ピストン１３の外側の側壁は室３に連続する通路１６の内側の側壁と接触し、前記通路１６自体は射出チューブ４の導管に連続している。室３、中間通路１６及び射出チューブ４は円筒形状であり、前記室３とチューブ４の前記導管とは同一の直径を有し、中間の通路１６はより大きな直径を有している。相互に連続しているこれら３つの要素は直径の相違を示す内側肩部によって区画されている。
【００１９】
注射器１の厚い部分に配置され室３の軸線に平行な２つの導管１７ａ，１７ｂがそれぞれ室３を中間通路１６に連結する。より詳細には、導管１７ａ，１７ｂの各々は室３の発火薬５に非常に近い部分から始まり中間通路１６のほぼ中央部分で終わっている。通路１６の中に配置されているピストン１３は室３と前記中間通路１６との間の境界を形成する内側肩部に接して阻止され、またその中空円筒体は通路１６に開口する２つの導管１７ａ，１７ｂの端部を密閉しそれにより２つの開口１５ａ，１５ｂが保護シール１４と２つの導管１７ａ，１７ｂを密閉するピストン１３の中空円筒体の部分との間に配置されるようにする。室３の軸線に平行なこれら２つの導管１７ａ，１７ｂはそれぞれ通路１６に開口しその軸線に直角の小さな端部分を含むことができるようにするエルボ（Ｌ字継手）を有している。粉末の又は乾燥粉末の形式の有効成分が、一方がピストン１３の側壁により、他方が各導管１７ａ，１７ｂに横断方向に配設された多孔質の膜２０ａ，２０ｂによって、区画された空間１８の中で、導管１７ａ，１７ｂの２つの小さな部分１９ａ，１９ｂの各々を占有する。
【００２０】
有効成分の粒子を射出するチューブ４は室３の直径と同一の直径を有し有利には注射器１を患者の皮膚に接触させるのを容易にするため衝撃吸収リムで終端することができる。
【００２１】
本発明のこの第１の好ましい実施態様は次のように作動する。
使用者は注射器１を射出チューブ４の端部が処置を受けようとする患者の皮膚に当接するように位置決めする。
【００２２】
押しボタン７への圧力は、一方において中空円筒体１２がその拡大部分が静止ボール１１と整列するまで移動されるのを意図し、他方においてスプリング８が圧縮されるのを意図する。ボール１１はその座部を離れ、それによりスプリング８の解放作用を受けて雷管６に向って突然に加速される錘９を自由にし、撃針１０が通じるようにする。雷管６の反応は発火薬５の着火をもたらし、膨張室３と２つの導管１７ａ，１７ｂとに同時に侵入するガスを発生する。室３内部の圧力が閾値の高さに達した時、ピストン１３は中間通路１６と射出チューブ４との間の境界を形成する内側肩部に当接するまで中間通路１６の中を直線状に移動される。ピストン１３のこの最後の位置は各導管１７ａ，１７ｂの小さな端部分１９ａ，１９ｂと整列するようになるその２つの開口１５ａ，１５ｂに対応している。
【００２３】
ピストン１３が当接するようになる前は、有効成分は閉じ込められそして特に導管１７ａ，１７ｂの中に位置するガスからの推力により射出チューブ４の中に拡散し始める。ピストン１３が当接するに至ったとき、有効成分の全部が射出チューブ４の中で運動状態となり一方室３内の圧力は非常に急速に増大し続ける。圧力が閾値に達した時、保護シール１４は最終的に屈撓し、それにより拡散した雲の形式となっている粒子に到達し粒子を捕え加速する衝撃波を解放するようにする。これら粒子のチューブ４の中への解放と保護シール１４の破裂とは粒子が再び群となるのに必要な時間がないのを保証するために、１ミリ秒又は２，３ミリ秒のオーダーの非常に短い時間間隔で生じるようにしなければならない。
【００２４】
図３と４を参照すると、本発明の第１の実施態様の他の変更による針なし注射器５０もまた発火ガス発生装置５２、膨張室５３、粒子の保持装置、及び処置を受ける患者の皮膚に当接するようにされる前記粒子を射出するチューブ５４を具備している。
【００２５】
発火ガス発生装置５２は発火薬のための起爆装置５５を具備し、撃発装置と雷管５６とを含んでいる。撃発装置（図３と４には図示されていない）の特徴は本発明の第１の実施態様について記載された撃発装置の特徴と同一である。一端が発火薬５５により区画された発火発生装置５２は他端が射出チューブ５４に連続する中空円筒体７１に連続している。チューブ５４に向って位置する前記円筒体７１の端部は直角を形成するよう内側に向けられそれにより円筒体７１がその本体より小さな直径の中央開口を有するようにする。ガス発生装置５２に連続して、中空本体７１は連続して、実質的に円筒形状の室５３と、前記本体７１に固定された横断フィルター８０と、フィルター８０と、中空本体７１の内側に向けられた端部との間に固定されている実質的に円筒形の中空の固定された要素７２からなる有効成分の粒子の保持装置とを有している。
【００２６】
中空要素７２は射出チューブ５４に開口する収束部分に連続する一定直径の円筒形の中央通路を有している。一定直径の前記円筒形中央通路の自由端はフィルター８０により密閉されている。前記要素７２の外径は中空本体７１の内径よりも小さく、それにより空間がこれら２つの要素の間に残されるようにする。前記中空要素７２は拡大した円筒形基部７３を有し、その外壁が中空本体７１の内壁と接触し、前記基部７３は前記本体７１の内側に向けられた端部と当接して位置する。この固定された要素７２はその上流側部分に側壁を貫通する一連の第１のオリフィス７４（その１つだけが図示されている）を有し、またそれより離れた下流側の部分に６個の他のオリフィス７５ａ，７５ｂを有し、これらオリフィス７５ａ，７５ｂは直径方向に向き合っておりまた側壁を貫通して延び、これら直径方向に向き合うオリフィス７５ａ，７５ｂは有効成分の固体粒子を収容するようになっている。
【００２７】
固定された要素７２の中央通路は中空円筒体によって形成されたピストン７６を収容し、中空円筒体の外側の側壁は前記中央通路の内側の側壁に接触しており、フィルター８０と接触する閉じた端部と他方の用いた端部とを有している。上流側部分で、ピストン７６の側壁は一連のオリフィス７７（その１つだけが図示されている）により貫通され、また下流側部分にその側壁を貫通して延びる６個の開口７８を有し、前記開口７８は相互に整列し前記ピストン７６の周囲に均一に分布されている。ピストン７６の長さは要素７２の中央通路の長さより短く、またピストン７６はその閉じた端部がフィルター８０の表面と接触するように前記通路の中に配置されている。
【００２８】
ピストン７６の内側通路７６は相互に連続して、星形を形成することのできる弱い線を有する横断保護シール７９によって分離された上流側部分と下流側部分とを有し、前記保護シール７９は前記ピストン７６と一体となっている。オリフィス７７はピストン７６の通路の上流側部分に開口し、また開口７８は前記通路の下流側部分に開口している。注射器５０の中空円筒形本体７１と固定された中空円筒形要素７２との間に位置する空間は円筒形のクラウン（王冠）形状の要素８１によって占められており、クラウン形状要素８１は、その長さが前記中空要素７２の拡大した基部７３とフィルター８０とによって区画された前記空間の長さより短く、またその周囲に相互にかつ回転軸線に平行な少なくとも２つの長手方向の矩形溝を有し、それにより前記円筒形要素８１の外側側壁を中空円筒本体７１の内側側壁との間に２つの導管６７ａ，６７ｂを構成するようにしている。
【００２９】
前記クラウン形状の要素８１はフィルター８０に接して配置され、一方において固定された中空要素７２の外側側壁と中空円筒本体７１の内側側壁とによって区画され、他方において前記中空要素７２の拡大された基部７３とクラウン形状要素８１の一方の端部とによって区画された自由空間８２が形成されるようにする。上記の種々の要素は相互に対して配置されそれにより有効成分の粒子を受け入れるようになっているオリフィス７５ａ，７５ｂが一方において開口７８の下流側に位置するピストン７６の側壁によって密閉され、他方においてクラウン形状の要素８１と固定された中空要素７２の拡大された基部７３との間に位置する自由空間８２に開口するようにしている。有効成分の粒子はピストン７６と中空要素７２の外側側面と同一平面の多孔質の膜との間でこれらオリフィス７５ａ，７５ｂに収容されている。
【００３０】
有利には、横断方向の第２の保護シールが中空円筒形要素７２の中央通路の収束部分に隣接する射出チューブ５４の端部に配設される。
【００３１】
注射器の第１の好ましい実施態様のこの第２の変更例は次のように作動する。
【００３２】
使用者による発火薬５５の着火に至る段階は本発明の第１の好ましい実施態様について上記の記載と厳密に一致している。発火薬５５の燃焼により発生したガスは最初室５３とまた導管６７ａ，６７ｂとに侵入し中空円筒要素７２と前記中空本体７１との間に位置する自由空間８２を占有する。この空間に蓄積したガスはしたがって有効成分の粒子を収容したオリフィス７５ａ，７５ｂを密閉する多孔質の壁に圧力を加える。第２の段階で、ピストン７６は、一方においてその６個の開口７８が粒子を収容した６個のオリフィス７５ａ，７５ｂと整列するようになり粒子を前記ピストン７６の中に解放するまで、他方において上流側に位置するそのオリフィス７７が中空円筒形要素７２の上流側部分のオリフィス７４と整列するようになるまで、中央通路の中で移動され、それによりガスがピストン７６の内側通路の上流側部分に侵入できるようにし、前記上流側の部分は保護シール７９によって区画されている。ピストン７６は中空円筒形要素７２の中央通路の内側肩部に当接することによってその行程の終端に到達する。
【００３３】
時間的な順序としては、前記ピストン７６の移動時、開口７８が粒子を収容したオリフィス７５ａ，７５ｂと整列するようになる段階は、他のオリフィス７４，７７が整列し粒子がピストン７６の内側通路の上流側部分の圧力が上昇する直前に解放され始める段階の直前に生じる。圧力がピストン７６の前記上流側部分で閾値に達したとき、保護シール７９は破砕しないで花びらのように開き、有効成分の粒子を最初射出チューブ５４の中に搬入し次に処置を受けようとする患者の皮膚に向って搬送する衝撃波を発生する。有利には射出チューブ５４の始端に位置する第２の保護シールが注射器５０の中でオリフィス７５ａ，７５ｂから吹き出された粒子を一時的に保持する作用をし、前記保護シールは上流側に発生した衝撃波に対し何ら抵抗せず同様に花びらのように開く。
【００３４】
図５，６及び７を参照すると、本発明の第２の好ましい実施態様による針なし注射器１００は連続して、発火ガス発生装置１０２と、膨張室１０３と、粘子の保持装置と、前記粒子を射出するのに用いられ処置を受けようとする患者の皮膚に当接するようになっているチューブ１０４とを具備している。その外形と発火薬１０５だけが図５と６に示されまた撃発装置と発火薬１０５と雷管とにより作動する発火ガス発生装置１０２は本発明の第１の好ましい実施態様について上記したものと全ての点で一致している。発火薬１０５は膨張室１０３に開口する平面の円形面を有している。
【００３５】
膨張室１０３と射出チューブ１０４は同一の直径を有し、その境界は実質的に円筒形の横断通路１１９によって特徴づけられ、横断通路１１９の一端は平面であり閉じられ、他端もまた平面であり前記膨張室１０３に開口する導管１１７を介して、発火薬１０５に密接し固体粒子をろ過しガスを冷却するようになっている横断フィルター１３０の直ぐ下流側の部分に連続している。横断通路１１９は、相互に連続して同径の中実の部分１２０と中空の部分１２１とを有する実質的に円筒形状のピストン１１３によって一部が占有され、前記ピストン１１３は横断通路１１９の軸線上で２つの平面の円形面によって区画されている。粉末の有効成分を収容するようになっているピストン１１３の中空部分１２１は実質的に円筒形状を有し、通路１１９の軸線上で中実部分１２０の一部である平面の円形面とピストン１１３の２つの端部の一方である平面の円形面とによって区画されている。さらにまたこの中空の部分１２１はその側壁と中空部分１２１の軸線に対し直径方向に向き合う位置に、閾値以上で爆発することのできる保護シール１１４と前記中空部分１２１が開放した空間に連結されることを意図する開口１２２とを有している。
【００３６】
保護シール１１４と開口１２２は横断通路１１９の軸線に沿った、室１０３の直径より小さい長さを有し、また対称の同一の軸線を有するように整列される。対称の軸線に沿って測った中空部分１２１の長さは注射器１００の側壁の厚さより小さくその軸線に沿うピストン１１３の全長は導管１１７で終わる通路１１９の部分の長さと室１０３の直径との合計によって表わされる長さよりも僅かに大きい。ピストン１１３は導管１１７で終わる横断通路１１９の部分へと駆動され、それにより一方においてその中実部分１２０が室１０３を該室１０３の側面又は前記チューブ１０４を超えて延びる射出チューブ１０４から完全に隔離し、他方においてその中空部分１２１が導管１１７で終わる通路１１９の部分に一体に含まれるようにする。ピストン１１３は力によって通路１１９の中を摺動するように取付けられ、それにより前記ピストン１１３の外側側壁が前記通路１１９の内壁と接触するようにする。このようにして、ピストン１１３の中空部分１２１は通路１１９の内壁が開口１２２を閉じるため、閉鎖される。
【００３７】
ピストン１１３は、その中空部分１２１が室１０３と射出チューブ１０４とに他の運動を受けることなしに連続するまで前記通路１１９の中を並進された場合に、保護シール１１４と開口１２２が室１０３とチューブ１０４との軸線に直角となり保護シール１１４が発火薬１０５から発生するガスの伝播方向に対し開口１２２の上流側にあるような位置で、通路１１９を占有する。自由な空間はピストン１１３とピストンが駆動される通路１１９の部分の底部との間に残っており、前記空間が導管１１７と連通している。平面の閉じられた端部で終わる通路１１９の占有されない部分は前記端部の近くに狭い部分１２３を有する。最後に、射出チューブ１０４はまた衝撃吸収リムで終わり患者の皮膚への注射器１００の接触を容易にすることができる。
【００３８】
本発明の第２の好ましい実施態様は次のように作動する。使用者により発火薬を着火する段階は本発明の第１の好ましい実施態様について上記したのと同一である。発火薬１０５の燃焼により発生したガスは同時にピストン１１３の中実部分１２０によって区画された室１０３に侵入する。このガスは前記ピストン１１３とピストンが駆動される通路１１９の部分の平面の端部との間に位置する自由空間の中へと押し寄せる。図６を参照すると、この空間は圧力の作用のもとに膨張し通路１１９の絞られた部分１２３にロックされているピストン１１３を移動させる。
【００３９】
この端部位置で、ピストン１１３はしたがってその中空部分１２１を室１０３とチューブ１０４とに整列させる。この移動の始まりにおいて、ピストン１１３はすでにその中空部分１２１を開き始めているが、その理由は通路の内壁が前記中空部分１２１を完全に密閉することがなくなり、それにより有効成分の固体粒子を射出チューブ１０４の中に解放するからである。絞り部１２３によってロックされると、ピストン１１３は絶えず室１０３を密閉し続けその圧力が増大する。この圧力の高さが閾値の高さに達すると、保護シール１１４は屈撓し、粒子を拡散した雲の形式のまま捕えかつ加速する衝撃波を作り出す。粒子のチューブ１０４の中への解放と保護シール１１４の破裂とは２，３ミリ秒のオーダーの非常に短い時間の間隔で生じそれにより粒子が再度凝集する時間を持たないよう保証しなければならない。
【図面の簡単な説明】
【図１】  本発明の針なし注射器の縦断面を示す概略図で、粒子が射出チューブの導管の外側に位置する少なくとも２つの固定座部の中に収容されているところを示す。
【図２】  粒子を図１の注射器の中に保持する装置の縦断概略図である。
【図３】  本発明の針なし注射器の好ましい実施態様の縦断面を示す概略図で、注射器が未だ使用されておらず、粒子が射出チューブの外側に位置する６つの固定された座部の中に収容されているところを示す。
【図４】  図３の注射器の使用後の拡大縦断面図である。
【図５】  本発明の針なし注射器の一部縦断面図で、粒子が横断通路に位置するピストンの中に収容され、注射器が未だ使用されていないところを示す。
【図６】  図５の注射器の使用後を示す図である。
【図７】  粒子を図５と６の注射器の中に保持する装置の概略縦断面図である。
【図１】
0003704091.tif 000002
【図２】
0003704091.tif 000003
【図７】
0003704091.tif 000004
【図３】
0003704091.tif 000005
【図４】
0003704091.tif 000006
【図５】
0003704091.tif 000007
【図６】
0003704091.tif 000008